(57)【特許請求の範囲】
【請求項１】
予めキャンティ部の増改築が想定される建物の出隅部の梁構造であって、
建物の出隅部に設けられた出隅部柱と、前記出隅部柱に接合された略直交する２本の主梁と、前記主梁と略同一平面上で該２本の主梁の屋内側に接合された斜め控え梁と、が増改築後のキャンティ部に基づいて設定され、
予め想定された増改築後のキャンティ部を実現する際に前記主梁よりも屋外側に張り出す片持梁の一端部を前記主梁に接合された前記斜め控え梁の接合部位に対応して接合し得ることを特徴とする出隅部の梁構造。
【請求項２】
前記斜め控え梁の両端部に固定されたエンドプレートが前記主梁のウエブに接合されており、予め想定された増改築後のキャンティ部を実現する際に前記主梁よりも屋外側に張り出す片持梁の一端部に固定されたエンドプレートを前記斜め控え梁のエンドプレートと前記主梁のウエブとの接合部に対応して接合し得ることを特徴とする請求項１に記載の出隅部の梁構造。
【発明の詳細な説明】
【０００１】
【発明の属する技術分野】
本発明は、戸建住宅や集合住宅、特に鉄骨系住宅等の中低層住宅を建築するに際し、将来の外観や機能の変更を実現するために庇、キャンティベランダ或いはキャンティ居室等のキャンティ部の増改築が想定される場合、この増改築を見込んで増改築前の建物を設計し、将来、キャンティ部を容易に後施工出来る出隅部の梁構造に関するものである。
【０００２】
【従来の技術】
住宅等の中低層住宅は、現在の家族構成と、家族を構成する個人の嗜好等の変化に応じて近い将来、異なる間取りを必要とするのが一般的である。このため、住宅を建築する場合、現在の家族構成に基づいて設計し、この設計の中に比較的近い将来に確実に実現するであろうことを見越して設計される。
【０００３】
即ち、現在の家族構成において子供が未就学児童であれば、近い将来に必要となるであろう個室等を予め建築しておくことが一般的に行われている。また、子供の成長に伴って、当初建築した個室を広くする必要が生じたり、夫婦の部屋や居間等の居室を広くする必要が生じることがあり、このような必要が生じた時、これらの要求に応じて増改築して対応するのが一般的である。
【０００４】
更に、子供が新たな家庭を持った後、この家族が独立するのか、或いは同居するのかは大きな問題であるが、何れの場合であっても、その時点で必要に応じた増改築を行うのが一般である。即ち、子供の家族が同居するような場合には、現在の住宅を２世帯住宅として機能し得るように増改築することが一般的に行われており、また、別居するような場合には、現在の住宅を集合住宅として機能し得るように増改築することも行われている。
【０００５】
住宅の増改築を行う場合、依頼内容に応じて個別に構造計算等を行い、安全を確認している。特に基礎断面や柱、梁等の躯体構造や耐力要素の配置が増改築部分のみでは十分でない場合、既存の基礎や躯体構造等の一部を取り壊して補強することが行われている。
【０００６】
特に既設の建物の出隅部から張り出すキャンティ部を増改築する場合には、既存の建物の躯体構造ではキャンティ部を支持する強度が不足する場合も有り、これらの既設部分を補強した後、増改築工事にかかるのが一般的である。
【０００７】
一方、各階の間取りの自由度を確保する目的で建物躯体に梁勝ち構造を採用する場合、梁勝ち構造では、通常、柱の上端部に十字形断面のジョイント部材を接合し、該ジョイント部材を介して梁が接合される。
【０００８】
既設の建物の出隅部から張り出すキャンティ部を増改築する際に、建物躯体が柱勝ち構造である場合には、出隅部の柱面に予めタップネジ孔等を施しておくことにより出隅部柱よりも屋外側に張り出す片持梁を柱面に後付け接合することも出来るが、梁勝ち構造では前記ジョイント部材に片持梁を直接接合することが強度的、或いは形状的に出来ないため梁やジョイント部材を特殊な形状の部材に変更する必要があった。
【０００９】
また、予め新築時に片持梁を出隅部柱よりも屋外側に張り出して置くことも考えられるが、近い将来にキャンティ部を増改築する予定がない場合には、キャンティ部を増改築する迄、片持梁が屋外側に張り出したままで見栄えが悪く、該片持梁が風雨に晒された状態で経年変化すると、増改築時の施工に支障となる虞がある。
【００１０】
【発明が解決しようとする課題】
しかしながら、前述の従来例において、建物躯体が梁勝ち構造の場合には、出隅部柱よりも外側に張り出す片持梁を接合する箇所においては梁やジョイント部材を特殊な形状の部材に変更する必要があるため部品点数が増加して部品コストや部品管理コストが増大するという問題があった。
【００１１】
また、予め新築時に片持梁を出隅部柱よりも屋外側に張り出して置く場合には、新築時に将来の増改築プランが決定していない場合や、途中で変更したい場合には適用出来ないという問題があった。
【００１２】
特に最近では５０年程度以上の耐久性のある住宅が建てられて来ており、これ等の住宅の増改築が築後１０年以降に見込まれる場合が多い。即ち、新築時に増改築の構造的準備をしておくことにより増改築時に構造上、施工上有利であり、建物の耐久期間を総合的に見た時に最も効率的になる新築時の合理的な梁構造が要求されて来ている。
【００１３】
一般的に建築時に片持梁を設ける手段として直梁を予め組み込むことも考えられるが、出隅部の２方向に２本設けることになり、この２本が出隅部近くで直交し、２つの片持梁の性能を夫々持たせることが困難である。また、この直梁は周囲の他の梁とも干渉するので複雑な設計が必要になるという問題があり、鉄骨量も多くなる。
【００１４】
本発明は前記課題を解決するものであり、その目的とするところは、建物躯体が梁勝ち構造の場合であっても将来の外観や機能の変更を実現するために新築時に将来の増改築プランが決定していない場合や、途中で変更したい場合にも庇、キャンティベランダ或いはキャンティ居室等のキャンティ部を容易に後施工出来、構造が簡単で梁やジョイント部材を特殊な形状の部材に変更する必要がなく部品点数の増加を抑え部品コストや部品管理コストを低減出来る出隅部の梁構造を提供せんとするものである。
【００１５】
【課題を解決するための手段】
前記目的を達成するための本発明に係る出隅部の梁構造は、予めキャンティ部の増改築が想定される建物の出隅部の梁構造であって、建物の出隅部に設けられた出隅部柱と、前記出隅部柱に接合された略直交する２本の主梁と、前記主梁と略同一平面上で該２本の主梁の屋内側に接合された斜め控え梁と、が増改築後のキャンティ部に基づいて設定され、予め想定された増改築後のキャンティ部を実現する際に前記主梁よりも屋外側に張り出す片持梁の一端部を前記主梁に接合された前記斜め控え梁の接合部位に対応して接合し得ることを特徴とする。
【００１６】
本発明は、上述の如く構成したので、予め増改築後のキャンティ部を想定し、該増改築後のキャンティ部に基づいて、建物の出隅部に設けられた出隅部柱と、該出隅部柱に接合された略直交する２本の主梁と、該主梁と略同一平面上で該２本の主梁の屋内側に接合された斜め控え梁とを含む構造計算等を行って建物の出隅部が設計されているため、増改築前の建物を建築した後、年月が経過し、増改築が必要になった時点で予め想定されたキャンティ部の増改築を実施する際に、既に設置された出隅部柱、主梁及び斜め控え梁には手を加える必要がなく、単に外壁等の一部を部分的に取り壊して主梁を露出させ、その主梁の斜め控え梁が接合されて補強された接合部位に対応して屋外側から片持梁を接合することで予め想定された増改築後のキャンティ部を容易に後施工することが出来、庇、キャンティベランダ或いはキャンティ居室等のキャンティ部の増改築を容易に実現することが出来る。このため、工事期間の短縮化を図り、且つ増改築時の費用を大幅に削減することが出来る。
【００１７】
また、略直交する２本の主梁の屋内側に斜め控え梁を接合した梁構造によれば、予め想定された増改築後のキャンティ部の片持梁が接合される略直交する２本の主梁にかかるねじれ応力を共通の斜め控え梁により効果的に分散させて該主梁を補強することが出来、簡単な構成で施工性に優れ、部品点数も少なくて済む。
【００１８】
また、前記斜め控え梁の両端部に固定されたエンドプレートが前記主梁のウエブに接合されており、予め想定された増改築後のキャンティ部を実現する際に前記主梁よりも屋外側に張り出す片持梁の一端部に固定されたエンドプレートを前記斜め控え梁のエンドプレートと前記主梁のウエブとの接合部に対応して接合し得る場合には、予め想定されたキャンティ部の増改築を実施する際に複雑な形状の接合部材等を別途用意する必要もなく、屋外側から主梁に接合される片持梁と、斜め控え梁との位置を容易に一致させて簡単に接合することが出来る。
【００１９】
また、斜め控え梁のエンドプレートと主梁のウエブと片持梁のエンドプレートとが互いに面接触して接合されることで主梁のウエブにかかるねじれ応力を効果的に分散させて簡単な構成で主梁を補強することが出来る。
【００２０】
【発明の実施の形態】
図により本発明に係る出隅部の梁構造の一実施形態を具体的に説明する。図１は本発明に係る出隅部の梁構造の第１実施形態の構成を示す斜視説明図、図２は図１の出隅部に予め想定されたキャンティ部を実現するために片持梁と鼻先梁を増改築した様子を示す斜視説明図、図３（ａ）は斜め控え梁の構成を示す平面説明図、図３（ｂ）は斜め控え梁の構成を示す斜視説明図、図４（ａ）は片持梁の構成を示す平面説明図、図４（ｂ）は片持梁の構成を示す斜視説明図、図５（ａ）は主梁のウエブに斜め控え梁のエンドプレートが接合された状態で斜め控え梁側からエンドプレートを見た様子を示す図、図５（ｂ）は主梁のウエブに屋外側から片持梁のエンドプレートを接合する様子を示す図である。
【００２１】
先ず、図１〜図５を用いて本発明に係る出隅部の梁構造の第１実施形態の構成について説明する。図１は予め想定された庇、キャンティベランダ或いはキャンティ居室等のキャンティ部Ａが増改築される前の新築時に既設された梁勝ち構造の建物躯体からなる出隅部の梁構造を示し、予め図２に示す増改築後のキャンティ部Ａを想定し、該増改築後のキャンティ部Ａに基づいて、建物の出隅部に設けられた角形断面鋼管からなる出隅部柱１と、該出隅部柱１にジョイント部材２を介して接合された略直交する２本の主梁３と、該主梁３と略同一平面上で該２本の主梁３の屋内側に接合された斜め控え梁４とを含む構造計算等を行って建物の出隅部が設計されている。
【００２２】
出隅部柱１の上端部には十字形断面のジョイント部材２がボルト止め等により接合され、該ジョイント部材２を介して略直交する２本の主梁３が接合されている。ジョイント部材２と主梁３との接合は、主梁３のウエブ３ａに溶接されたＬ字形状の接合プレート９がジョイント部材２の十字形の起立した各片に当接され、ボルト止め等により接合される。
【００２３】
主梁３の屋内側には、新築時に予め斜め控え梁４が接合されている。斜め控え梁４は、図３（ａ），（ｂ）に示すように、Ｈ型鋼の両端部を略４５度の傾斜角度で削除したフランジ４ｂ及びウエブ４ａの端部に互いに４５度の傾斜角度を有して配置された一対の平板状のエンドプレート４ｃが溶接接合されている。
【００２４】
本実施形態では、斜め控え梁４のエンドプレート４ｃにウエブ４ａを挟んで片側３個ずつ合計６個の孔４ｄが形成されており、図５（ａ）に示すように、斜め控え梁４の内側で上下４箇所の孔４ｄの位置にはナット４ｅが溶接によりエンドプレート４ｃに固定されている。
【００２５】
一方、主梁３のウエブ３ａにも斜め控え梁４のエンドプレート４ｃに形成された孔４ｄの位置に対応する位置に図示しない６箇所の孔が形成されており、斜め控え梁４を略直交する２本の主梁３に接合する際には、図５（ａ）に示すように、斜め控え梁４の両端部に溶接されたエンドプレート４ｃを主梁３のウエブ３ａに当接させると共に、該エンドプレート４ｃに形成された中央２箇所の孔４ｄ及び主梁３のウエブ３ａの中央２箇所の孔に屋内側からボルト７を挿通し、主梁３のウエブ３ａの屋外側から該ボルト７にワッシャ等を介してナット８を螺合締着して斜め控え梁４を主梁３に固定する（図５（ｂ）参照）。
【００２６】
この時、ボルト７及びナット８の端部が主梁３のフランジ３ｂの側端面よりも突出しない寸法に設定されており、主梁３に図示しない外壁パネルや下地材が取り付けられた際にボルト７やナット８が外壁パネルや下地材に干渉しないようになっている。
【００２７】
図２は図１に示す出隅部に予め想定された増改築後のキャンティ部Ａを実現するために主梁３の屋外側に片持梁５を接合して張り出し、更に片持梁５に鼻先梁６を接合し、キャンティ部Ａの出隅部を構成する略直交する２本の鼻先梁６の交差部にジョイント部材２が接合された様子を示す。
【００２８】
片持梁５は、図４（ａ），（ｂ）に示すように、Ｈ型鋼のフランジ５ｂ及びウエブ５ａの一端部に平板状のエンドプレート５ｃが溶接接合され、他端部のウエブ５ａにＬ字形状の接合プレート９が溶接されている。
【００２９】
本実施形態では、片持梁５の一端部に設けられたエンドプレート５ｃにウエブ５ａを挟んで片側３個ずつ合計６個の孔５ｄが形成されており、主梁３のウエブ３ａに接合される側のエンドプレート５ｃの孔５ｄは前述した主梁３のウエブ３ａに形成された図示しない６箇所の孔及び斜め控え梁４のエンドプレート４ｃに形成された６箇所の孔４ｄの位置に対応した位置に形成されている。
【００３０】
主梁３のウエブ３ａに接合される側（図４の左側）の片持梁５のエンドプレート５ｃの孔５ｄのうち、中央部の２箇所の孔5d1は、主梁３に斜め控え梁４を固定したナット８やワッシャの外径よりも大きな径を有して形成されており、図５（ｂ）に示すように、片持梁５を主梁３に接合する際に該片持梁５の端部に溶接されたエンドプレート５ｃを主梁３のウエブ３ａに当接させた時、主梁３のウエブ３ａの屋外側に突出したナット８やワッシャが孔5d1の内部に納まり、ナット８やワッシャがエンドプレート５ｃに干渉しないようになっている。
【００３１】
そして、増改築前の建物を建築した後、年月が経過し、増改築が必要になった時点で予め想定されたキャンティ部Ａの増改築を実施するために、片持梁５を主梁３の屋外側に接合する際には、既に設置された出隅部柱１、主梁３及び斜め控え梁４には手を加える必要がなく、単に外壁等の一部を部分的に取り壊して主梁３の屋外側のウエブ３ａ面を露出させた後、図５（ｂ）に示すように、斜め控え梁４の両端部に溶接されたエンドプレート４ｃが屋内側に接合された主梁３のウエブ３ａの屋外側面に片持梁５の一端部に溶接されたエンドプレート５ｃを当接させると共に、該エンドプレート５ｃに形成された上下４箇所の孔５ｄ及び主梁３のウエブ３ａに形成された上下４箇所の図示しない孔に屋外側から図示しないワッシャ等を介してボルト７を挿通し、図５（ａ）に示すように、斜め控え梁４のエンドプレート４ｃに予め溶接されたナット４ｅに該ボルト７を螺合締着して片持梁５を主梁３の屋外側に固定する。
【００３２】
鼻先梁６はウエブ６ａとフランジ６ｂを有するＨ型鋼からなり、片持梁５の他端部に溶接された接合プレート９が鼻先梁６のウエブ６ａに当接され、ボルト止めにより固定して接合され、更にキャンティ部Ａの出隅部を構成する略直交する２本の鼻先梁６の交差部にジョイント部材２が接合されている。
【００３３】
ジョイント部材２と鼻先梁６との接合は、鼻先梁６のウエブ６ａに溶接されたＬ字形状の接合プレート９がジョイント部材２の十字形の起立した各片に当接され、ボルト止め等により接合される。
【００３４】
上記構成によれば、増改築前の建物を建築した後、年月が経過し、増改築が必要になった時点で予め想定されたキャンティ部Ａの増改築を実施する際に、既に設置された出隅部柱１、主梁３及び斜め控え梁４には手を加える必要がなく、単に外壁等の一部を部分的に取り壊して主梁３を露出させ、その主梁３の斜め控え梁４が接合されて補強された接合部位に対応して屋外側から片持梁５を接合することで予め想定された増改築後のキャンティ部Ａを容易に後施工することが出来、庇、キャンティベランダ或いはキャンティ居室等のキャンティ部Ａの増改築を容易に実現することが出来る。このため、工事期間の短縮化を図り、且つ増改築時の費用を大幅に削減することが出来る。
【００３５】
また、略直交する２本の主梁３の屋内側に斜め控え梁４を接合した梁構造によれば、予め想定された増改築後のキャンティ部Ａの片持梁５が接合される略直交する２本の主梁３にかかるねじれ応力を共通の斜め控え梁４により効果的に分散させて該主梁３を補強することが出来、簡単な構成で施工性に優れ、部品点数も少なくて済む。
【００３６】
また、斜め控え梁４の両端部に溶接されたエンドプレート４ｃが主梁３のウエブ３ａに接合されており、予め想定された増改築後のキャンティ部Ａを実現する際に主梁３よりも屋外側に張り出す片持梁５の一端部に溶接されたエンドプレート５ｃを斜め控え梁４のエンドプレート４ｃと主梁３のウエブ３ａとの接合部に対応して接合し得るので、予め想定されたキャンティ部Ａの増改築を実施する際に複雑な形状の接合部材等を別途用意する必要もなく、屋外側から主梁３に接合される片持梁５と、斜め控え梁４との位置を容易に一致させて簡単に接合することが出来る。
【００３７】
特に本実施形態のように斜め控え梁４のエンドプレート４ｃに予めナット４ｅを溶接して固定した場合には、屋外側からボルト７を挿入して該ナット４ｅに螺合締着するだけの作業で片持梁５を容易に接合出来るので好ましい。
【００３８】
また、増改築前の段階で主梁３のウエブ３ａの屋外側からボルト７をナット４ｅに螺合して付属しておけばナット４ｅのネジ孔の保全が確保出来る上、新しくボルト７を用意しなくても付属のボルト７をそのまま使用出来るので好ましい。また、ナット４ｅのネジ孔の保全のためにキャップやシールテープ等により被覆しておいても良い。
【００３９】
また、斜め控え梁４のエンドプレート４ｃと主梁３のウエブ３ａと片持梁５のエンドプレート５ｃとが互いに面接触して接合されることで主梁３のウエブ３ａにかかるねじれ応力を効果的に分散させて簡単な構成で主梁３を補強することが出来る。
【００４０】
次に図６及び図７を用いて本発明に係る出隅部の梁構造の第２実施形態について説明する。図６は本発明に係る出隅部の梁構造の第２実施形態の構成を示す斜視説明図、図７は図６の出隅部に予め想定されたキャンティ部を実現するために片持梁と鼻先梁を増改築した様子を示す斜視説明図である。尚、前記第１実施形態と同様に構成されたものは同一の符号を付して説明を省略する。
【００４１】
図６は予め想定された庇、キャンティベランダ或いはキャンティ居室等のキャンティ部Ａが増改築される前の新築時に既設された出隅部の梁構造を示し、予め増改築後のキャンティ部Ａを想定し、該増改築後のキャンティ部Ａに基づいて、建物の出隅部に設けられた出隅部柱１と、該出隅部柱１にジョイント部材２を介して接合された略直交する２本の主梁３と、該主梁３と略同一平面上で該２本の主梁３の屋内側に並行して２本接合された斜め控え梁４とを含む構造計算等を行って建物の出隅部が設計されている。
【００４２】
図７は図６に示す出隅部に予め想定された増改築後のキャンティ部Ａを実現するために主梁３の屋内側に並行して配置された２本の斜め控え梁４に対応する位置で主梁３の屋外側に夫々片持梁５を接合して張り出し、更に片持梁５に鼻先梁６を接合し、キャンティ部Ａの出隅部を構成する略直交する２本の鼻先梁６の交差部にジョイント部材２を接合したものである。
【００４３】
本実施形態では、主梁３の屋内側に並行する２本の斜め控え梁４を接合したことで、予め想定された増改築後のキャンティ部Ａの片持梁５が接合される主梁３にかかるねじれ応力をより効果的に分散させて該主梁３を更に補強することが出来る。他の構成は前記第１実施形態と同様に構成され、同様の効果を得ることが出来るものである。
【００４４】
尚、他の複数本の斜め控え梁４を主梁３の屋内側に並行して接合し、これ等の斜め控え梁４に対応する位置で主梁３の屋外側に夫々片持梁５を接合して張り出して構成しても良い。
【００４５】
【発明の効果】
本発明は、上述の如き構成と作用とを有するので、建物躯体が梁勝ち構造の場合であっても将来の外観や機能の変更を実現するために新築時に将来の増改築プランが決定していない場合や、途中で変更したい場合にも庇、キャンティベランダ或いはキャンティ居室等のキャンティ部を容易に後施工出来、構造が簡単で梁やジョイント部材を特殊な形状の部材に変更する必要がなく部品点数の増加を抑え部品コストや部品管理コストを低減出来る出隅部の梁構造を提供することが出来る。
【００４６】
即ち、予め増改築後のキャンティ部を想定し、該増改築後のキャンティ部に基づいて、建物の出隅部に設けられた出隅部柱と、該出隅部柱に接合された略直交する２本の主梁と、該主梁と略同一平面上で該２本の主梁の屋内側に接合された斜め控え梁とを含む構造計算等を行って建物の出隅部が設計されているため、増改築前の建物を建築した後、年月が経過し、増改築が必要になった時点で予め想定されたキャンティ部の増改築を実施する際に、既に設置された出隅部柱、主梁及び斜め控え梁には手を加える必要がなく、単に外壁等の一部を部分的に取り壊して主梁を露出させ、その主梁の斜め控え梁が接合されて補強された接合部位に対応して屋外側から片持梁を接合することで予め想定された増改築後のキャンティ部を容易に後施工することが出来、庇、キャンティベランダ或いはキャンティ居室等のキャンティ部の増改築を容易に実現することが出来る。このため、工事期間の短縮化を図り、且つ増改築時の費用を大幅に削減することが出来る。
【００４７】
また、略直交する２本の主梁の屋内側に斜め控え梁を接合した梁構造によれば、予め想定された増改築後のキャンティ部の片持梁が接合される略直交する２本の主梁にかかるねじれ応力を共通の斜め控え梁により効果的に分散させて該主梁を補強することが出来、簡単な構成で施工性に優れ、部品点数も少なくて済む。
【００４８】
また、斜め控え梁の両端部に固定されたエンドプレートが主梁のウエブに接合されており、予め想定された増改築後のキャンティ部を実現する際に主梁よりも屋外側に張り出す片持梁の一端部に固定されたエンドプレートを斜め控え梁のエンドプレートと主梁のウエブとの接合部に対応して接合し得る場合には、予め想定されたキャンティ部の増改築を実施する際に複雑な形状の接合部材等を別途用意する必要もなく、屋外側から主梁に接合される片持梁と、斜め控え梁との位置を容易に一致させて簡単に接合することが出来る。
【００４９】
また、斜め控え梁のエンドプレートと主梁のウエブと片持梁のエンドプレートとが互いに面接触して接合されることで主梁のウエブにかかるねじれ応力を効果的に分散させて簡単な構成で主梁を補強することが出来る。
【図面の簡単な説明】
【図１】本発明に係る出隅部の梁構造の第１実施形態の構成を示す斜視説明図である。
【図２】図１の出隅部に予め想定されたキャンティ部を実現するために片持梁と鼻先梁を増改築した様子を示す斜視説明図である。
【図３】（ａ）は斜め控え梁の構成を示す平面説明図、（ｂ）は斜め控え梁の構成を示す斜視説明図である。
【図４】（ａ）は片持梁の構成を示す平面説明図、（ｂ）は片持梁の構成を示す斜視説明図である。
【図５】（ａ）は主梁のウエブに斜め控え梁のエンドプレートが接合された状態で斜め控え梁側からエンドプレートを見た様子を示す図、（ｂ）は主梁のウエブに屋外側から片持梁のエンドプレートを接合する様子を示す図である。
【図６】本発明に係る出隅部の梁構造の第２実施形態の構成を示す斜視説明図である。
【図７】図６の出隅部に予め想定されたキャンティ部を実現するために片持梁と鼻先梁を増改築した様子を示す斜視説明図である。
【符号の説明】
１…出隅部柱
２…ジョイント部材
３…主梁
３ａ…ウエブ
３ｂ…フランジ
４…斜め控え梁
４ａ…ウエブ
４ｂ…フランジ
４ｃ…エンドプレート
４ｄ…孔
４ｅ…ナット
５…片持梁
５ａ…ウエブ
５ｂ…フランジ
５ｃ…エンドプレート
５ｄ，5d1…孔
６…鼻先梁
６ａ…ウエブ
６ｂ…フランジ
７…ボルト
８…ナット
９…接合プレート
Ａ…キャンティ部
【図１】
0004458609.tif 000002
【図２】
0004458609.tif 000003
【図３】
0004458609.tif 000004
【図４】
0004458609.tif 000005
【図５】
0004458609.tif 000006
【図６】
0004458609.tif 000007
【図７】
0004458609.tif 000008